(57)【要約】【課題】積雪による損傷や断線を防止できる光ドロップケーブルを提供する。【解決手段】光ドロップケーブル１は、光ファイバ心線１０と、光ファイバ心線１０の両側に平行に配置される一対の抗張力線５と、光ファイバ心線１０と一対の抗張力線５とを被覆する外被６と、を有する本体部２と、支持線７と、支持線７を被覆する外被６と、を有する支持線部４と、本体部２と支持線部４とを連結する連結部３と、支持線部４の径方向に突出してケーブル長手方向に沿って延びる一対の突出部８と、を備えている。【選択図】図１
2014157296.tif 000002
【特許請求の範囲】
【請求項１】
光ファイバ心線と、前記光ファイバ心線の両側に平行に配置される一対の抗張力線と、前記光ファイバ心線と前記一対の抗張力線とを被覆する外被と、を有する本体部と、
支持線と、前記支持線を被覆する外被と、を有する支持線部と、
前記本体部と前記支持線部とを連結する連結部と、
前記支持線部の径方向に突出してケーブル長手方向に沿って延びる一対の突出部と、
を備えている光ドロップケーブル。
【請求項２】
前記一対の突出部の各々と前記支持線部の外縁との間に、前記一対の突出部を前記支持線部から切り離すためのノッチが設けられている、請求項１に記載の光ドロップケーブル。
【請求項３】
前記一対の突出部は、前記支持線部の径方向において、前記光ファイバ心線、前記一対の抗張力線および前記支持線をつなぐ線と直交するとともに前記支持線の中心を通る線上に設けられている、請求項１または２に記載の光ドロップケーブル。
【発明の詳細な説明】
【技術分野】
【０００１】
本発明は、光ファイバを屋外から利用者宅内へ引き込むために配線される光ドロップケーブルに関する。
【背景技術】
【０００２】
特許文献１には、光ファイバ心線に並行に抗張力線を配置し、これらの外周に外被を施したケーブル本体部と、支持線の外周に外被を施してなる支持線部と、ケーブル本体部と支持線部とを連結する連結部とを備えた光ファイバケーブルが開示されている。
【先行技術文献】
【特許文献】
【０００３】
【特許文献１】特開２００４−２７２０６９公報
【発明の概要】
【発明が解決しようとする課題】
【０００４】
このような光ファイバケーブルは屋外に配線されるため、降雪があると、支持線部に雪が溜まっていく。支持線部に溜まった雪はその重みでケーブル本体部に滑り落ちて付着し凍結することがある。そのため、特に積雪の多い地域では、降雪の度にケーブル全体に大量の雪が付着して凍結することで光ファイバケーブルへの張力が高まり、その結果、光ファイバケーブルが損傷したり断線したりしてしまう可能性がある。
【０００５】
そこで、本発明は、積雪による損傷や断線を防止できる光ドロップケーブルを提供することを目的とする。
【課題を解決するための手段】
【０００６】
上記の目的を達成するために、本発明の光ドロップケーブルは、
光ファイバ心線と、前記光ファイバ心線の両側に平行に配置される一対の抗張力線と、前記光ファイバ心線と前記一対の抗張力線とを被覆する外被と、を有する本体部と、
支持線と、前記支持線を被覆する外被と、を有する支持線部と、
前記本体部と前記支持線部とを連結する連結部と、
前記支持線部の径方向に突出してケーブル長手方向に沿って延びる一対の突出部と、を備えている。
【発明の効果】
【０００７】
本発明によれば、積雪による光ドロップケーブルの損傷や断線を防止することができる。
【図面の簡単な説明】
【０００８】
【図１】本発明の実施形態に係る光ドロップケーブルの一例を示す断面図である。
【図２】図１の光ドロップケーブルの斜視図である。
【図３】本実施形態に係る光ドロップケーブルの変形例を示す断面図である。
【発明を実施するための形態】
【０００９】
[本願発明の実施形態の説明]
最初に本願発明の実施形態の内容を列記して説明する。
本願発明の実施形態に係る光ドロップケーブルは、
（１）光ファイバ心線と、前記光ファイバ心線の両側に平行に配置される一対の抗張力線と、前記光ファイバ心線と前記一対の抗張力線とを被覆する外被と、を有する本体部と、
支持線と、前記支持線を被覆する外被と、を有する支持線部と、
前記本体部と前記支持線部とを連結する連結部と、
前記支持線部の径方向に突出してケーブル長手方向に沿って延びる一対の突出部と、を備えている。
支持線部から突出する一対の突出部が設けられているため、本体部への雪の付着を防止できるとともに支持線部に積もった雪を地面に落とすことができるという作用を生じ、積雪による光ドロップケーブルの損傷や断線を防止することが可能となる。
【００１０】
（２）前記一対の突出部の各々と前記支持線部の外縁との間に、前記一対の突出部を前記支持線部から切り離すためのノッチが設けられていることが好ましい。
支持線部を巻き付け部材に引き取る場合に、一対の突出部をノッチにより支持線部から容易に切り取ることができるためである。
【００１１】
（３）前記一対の突出部は、前記支持線部の径方向において、前記光ファイバ心線、前記一対の抗張力線および前記支持線をつなぐ線と直交するとともに前記支持線の中心を通る線上に設けられていることが好ましい。
突出部がこの位置に設けられていることにより、積もった雪の重みで光ドロップケーブルが傾きやすくなり、光ドロップケーブルに付着した雪を効率的に地面に落とすことができるためである。
【００１２】
[本願発明の実施形態の詳細]
以下、本発明の実施形態に係る光ドロップケーブル１の具体例を、図１および図２を参照しつつ説明する。
【００１３】
図１に示す光ドロップケーブル１は、本体部２が連結部３を介して支持線部４と接続された構成である。
【００１４】
本体部２は、光ファイバ心線１０と一対の抗張力線５とが熱可塑性樹脂の外被６により被覆されることにより、一体的に構成されている。光ファイバ心線１０と、一対の抗張力線５は、外被６と密着するようにほぼ隙間なく被覆されている。本体部２は、例えば断面視において、ケーブル長手方向の寸法Ｌ１が例えば３．０ｍｍ、ケーブル短手方向の寸法Ｌ２が例えば２．０ｍｍである。
【００１５】
本体部２の略中央部に配置された光ファイバ心線１０は、コアとクラッドとからなる二重構造のガラス体の外周に紫外線硬化型樹脂が被覆された構成で、その外径寸法が０．２５ｍｍであるものを例示できる。
【００１６】
一対の抗張力線５は、光ファイバ心線１０に対して光ドロップケーブル１の断面長手方向（図１中上下方向）の両側に平行に配置されている。一対の抗張力線５としては、鋼線、アラミド繊維、アラミド繊維強化プラスチック（アラミドＦＲＰ）、ガラス繊維強化プラスチック（ガラスＦＲＰ）等が用いられている。各抗張力線５の外周には、接着層（図示せず）が設けられていることが好ましい。その場合、各抗張力線５と外被６との間が強く接着される。接着層の材質は、ポリエチレンが好適に用いられる。
【００１７】
外被６の熱可塑性樹脂は、難燃ポリエチレン、ポリプロピレン、ポリ塩化ビニル（ＰＶＣ）等を好適に使用することができる。
【００１８】
本体部２の外被６には、光ファイバ心線１０を挟んで形成された一対のノッチ６Ａが形成されている。一対のノッチ６Ａは、光ドロップケーブル１の断面短手方向（図１中の左右方向）にＶ字状に切り込まれている。一対のノッチ６Ａから外被６を引き裂き、外被６を二つに分割することで、光ファイバ心線１０を容易に取り出すことができる。
【００１９】
連結部３は、本体部２の外被６と同じ樹脂により形成され、本体部２と支持線部４とを連結して一体化している。本体部２と支持線部４とを分割する際には、連結部３を手指等で簡単に引き裂くことができる。
【００２０】
支持線部４は、光ドロップケーブル１を架空で支持するための強度を有するように構成されており、鋼線やＦＲＰ等から構成された支持線７が熱可塑性樹脂の外被６により被覆されている。支持線７の外周には接着層が設けられていることが好ましい。支持線部４の外径は例えば２ｍｍであり、支持線７の外径は、例えば１．２ｍｍである。また、本体部２、連結部３および支持線部４を含んだ光ドロップケーブル１の長手方向の寸法Ｌ３は、例えば５．５ｍｍである。
【００２１】
支持線部４は、一対の突出部８を有している。一対の突出部８は、図２に示されるように、支持線部４の径方向に突出してケーブル長手方向に沿って延び、ケーブル端部をつなぐように連続して設けられている。一対の突出部８は、支持線部４の径方向において、光ファイバ心線１０、一対の抗張力線５、および支持線７の中心をつなぐ線と直交するとともに支持線部４の中心を通る線上に設けられていることが好ましい。
また、各突出部８は、一定の雪の重みに耐えうるよう以下の寸法を有していることが好ましい。例えば、ケーブル断面視において、各突出部８の長さＬ４は０．５〜２．０ｍｍであり、各突出部８の厚みＴは０．５ｍｍ以上である。
【００２２】
このような光ドロップケーブル１は、布設された状態で、支持線部４が電柱等に支持され、本体部２が支持線部４の下側に配置される。
【００２３】
以上説明した本実施形態に係る光ドロップケーブル１によれば、支持線部４に設けられた一対の突出部８よりも上部に雪が積もるため、支持線部４に積もった雪が本体部２にまで滑り落ちて付着することを防止することができる。また、一対の突出部８上に積もった雪の重みにより突出部８同士の間のバランスが崩れて光ドロップケーブル１が傾くことで、積もった雪を地面に落とすことができる。そのため、簡便な構成で積雪による光ドロップケーブル１の損傷や断線を防止することができる。
【００２４】
また、本実施形態によれば、一対の突出部８は、支持線部４の径方向において、光ファイバ心線１０、一対の抗張力線５、および支持線７の中心をつなぐ線と直交するとともに支持線部４の中心を通る線上に設けられているため、積もった雪の重みにより突出部８同士のバランスが崩れやすく、光ドロップケーブル１に付着した雪を効率的に地面に落とすことができる。
【００２５】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００２６】
上記の実施形態においては、図１および図２に示す光ドロップケーブル１を例にとって説明したが、本発明はこの例に限られない。例えば、図３に示すように、一対の突出部８の各々と支持線部４の外縁との間に、ノッチ９が設けられている構成であるドロップケーブル１００を適用することができる。このノッチ９の深さは、例えば０．１ｍｍ以上であることが好ましい。屋外から利用者宅内へ光ドロップケーブルを引き込む際には、本体部２のみが宅内へ引き込まれる場合が多い。このとき、支持線部４は本体部２から切り離されて、屋外等に配置された所定の巻き付け部材に巻き付けて引き取られる。この引き取り作業時に支持線部４に設けられた突出部８が邪魔になる場合がある。図３の構成によれば、一対の突出部８をノッチ９により支持線部４から容易に切り取ることができるため、支持線部４の引き取り作業を円滑に行うことができる。
【００２７】
上記の実施形態においては、一対の突出部８はケーブル長手方向に連続して設けられているが、間欠的に設けられていてもよい。また、突出部８は、本体部２への雪の付着を防ぎ、積もった雪により光ドロップケーブル１が傾いて雪を地面に落とすことができるものである限り、ケーブル断面における形状は任意である。上記実施形態のように、突出部８の角部が直線状のものに限られず、湾曲面や傾斜面であってもよい。
【００２８】
また、本発明は、複数本の光ファイバ心線が一体化された光テープ心線を収容する光ドロップケーブルに適用することもできる。
【符号の説明】
【００２９】
１，１００：光ドロップケーブル
２：本体部
３：連結部
４：支持線部
５：抗張力線
６：外被
６Ａ：ノッチ
７：支持線部
８：突出部
９：ノッチ
１０：光ファイバ心線
【図１】
2014157296.tif 000003
【図２】
2014157296.tif 000004
【図３】
2014157296.tif 000005